(57)【特許請求の範囲】
【請求項１】
アナログ電子時計において、
モータを構成するロータ（１３４）と、
ロータ（１３４）の回転に基づいて減速されて回転する輪列と、
筒状部（２２２ｃ）を有する第１表示車（２２２）と、
筒状部（２５０ｃ）を有する第２表示車（２５０）と、
筒状部（２５２ｃ）又は軸部を有する第３表示車（２５２）を備え、
前記第１表示車（２２２）は前記輪列の回転に基づいて回転するように構成され、
前記第３表示車（２５２）は前記輪列の回転に基づいて回転するように構成され、
前記第２表示車（２５０）は前記第３表示車（２５２）と連動して回転するように構成され、
前記第１表示車（２２２）と、前記第２表示車（２５０）と、前記第３表示車（２５２）とは、それぞれの回転中心を同一にして同軸的に回転するように構成されており、
前記第１表示車（２２２）の筒状部（２２２ｃ）の内側に前記第２表示車（２５０）の筒状部（２５０ｃ）が配置され、前記第２表示車（２５０）の筒状部（２５０ｃ）の内側に前記第３表示車（２５２）の筒状部（２５２ｃ）又は軸部が配置されるように構成されており、
前記第１表示車（２２２）は、１時間に１回転するように構成され、
前記第２表示車（２５０）は、２４時間に１回転するように構成され、
前記第３表示車（２５２）は、２４時間に１回転するように構成される、
ことを特徴とするアナログ電子時計。
【請求項２】
請求項１に記載のアナログ電子時計において、
前記第２表示車（２５０）は、反時計回り方向に、２４時間に１回転するように構成され、
前記第３表示車（２５２）は、反時計回り方向に、２４時間に１回転するように構成され、
北半球の地球儀を表示した表示部材が前記第３表示車（２５２）に取り付けられる、
ことを特徴とするアナログ電子時計。
【請求項３】
請求項１に記載のアナログ電子時計において、
前記第２表示車（２５０）は、時計回り方向に、２４時間に１回転するように構成され、
前記第３表示車（２５２）は、時計回り方向に、２４時間に１回転するように構成され、
南半球の地球儀を表示した表示部材が前記第３表示車（２５２）に取り付けられる、
ことを特徴とするアナログ電子時計。
【請求項４】
請求項１から請求項３のいずれか１項に記載のアナログ電子時計において、
前記輪列は日の裏車（１５４）を含み、
前記第１表示車（２２２）は、前記日の裏車（１５４）の回転に基づいて、増速されて回転するように構成され、
前記第２表示車（２５０）および前記第３表示車（２５２）は、前記日の裏車（１５４）の回転に基づいて、減速されて回転するように構成される、
ことを特徴とするアナログ電子時計。
【発明の詳細な説明】
【０００１】
【発明の属する技術分野】
本発明は、複数の表示車を含むアナログ電子時計に関する。本発明は、特に、同軸的に回転する複数の表示車を含み、これらの表示車に、それぞれ、指針、立体的な表示部材を取り付けたアナログ電子時計に関する。
本発明により、指針のデザイン自由度が高く、新規で見やすい表示部を有するアナログ電子時計を実現することができる。
【０００２】
【従来の技術】
一般的には、アナログ電子時計の「ムーブメント（機械体）」は、ムーブメントの基板を構成する地板を有する。そして、ムーブメント（機械体）を腕時計ケースに収容したものを「コンプリート」と称する。腕時計ケースは胴と、「裏ぶた」と、「ガラス」とを含む。
そして、地板の両側のうちで文字板のある側をアナログ電子時計の「裏側」と称し、この地板の両側のうちで文字板と反対側をアナログ電子時計の「表側」と称する。更に、アナログ電子時計の表側に組み込まれる輪列を「表輪列」と称し、アナログ電子時計の裏側に組み込まれる輪列を「裏輪列」と称する。
したがって、腕時計ケースの「裏ぶた」はアナログ電子時計の「表側」に面して配置され、腕時計ケースの「ガラス」はアナログ電子時計の「裏側」に面し、かつ、文字板に面して配置される。
【０００３】
また、アナログ電子時計の文字板又はケース（胴、ベゼルなど）の外周部分には、「１」から「１２」などの数字が記載されていることが多い。したがって、アナログ電子時計の外周部分に沿う各方向をこの数字を用いて表現する。例えば、腕時計の場合、腕時計の上方向、上側をそれぞれ「１２時方向」、「１２時側」と称し、腕時計の右方向、右側をそれぞれ「３時方向」、「３時側」と称し、腕時計の下方向、下側をそれぞれ「６時方向」、「６時側」と称し、腕時計の左方向、左側をそれぞれ「９時方向」、「９時側」と称する。
【０００４】
一般的には、アナログ電子時計において、駆動部分、制御部分及び表輪列等は時計の表側に組み込まれる。また、腕時計において、切換部分は時計の表側に組み込まれるときもあり、時計の裏側に組み込まれるときもあり、或いは、時計の表側及び裏側の両方に組み込まれるときもある。
従来の三針アナログ電子時計では、ステップモータを構成するロータの回転により五番車の回転を介して四番車（秒を表示するための車に相当する）が減速されて回転し、四番車の回転により三番車の回転を介して二番車（分を表示するための車に相当する）が減速されて回転し、二番車の回転により日の裏車の回転を介して筒車（時を表示するための車に相当する）が減速されて回転するように構成されている。
四番車の回転中心と、二番車の回転中心と、筒車の回転中心とは同じ位置に配置される。すなわち、四番車と、二番車と、筒車とは、同軸的に回転するように構成される。
筒車の筒状部の中を二番車の筒状部が貫通し、二番車の筒状部の中を四番車の軸部が貫通するように配置される。秒針は四番車に取付けられ、分針は二番車に取付けられ、時針は筒車に取付けられる。なお、二針アナログ電子時計では、秒針は設けられていない。
【０００５】
例えば、特開昭５３−８６２８３号公報、特開昭５５−６７６７８号公報、特開昭５８−１８９５７７号公報などに、このような従来のアナログ電子時計の構造が開示されている。
また、実開昭５９−２７５８２号公報には、世界地図盤の任意の経線を短針とする世界時計の構造が開示されている。
更に、実開昭６３−９６４８９号公報には、凸形状のカバー部材を備え、カバー部材の内側形状にならうように湾曲した時針、分針、秒針をムーブメントに近い方から順に配置した時計の構造が開示されている。
【０００６】
【発明が解決しようとする課題】
しかし、従来のアナログ電子時計では、筒車の筒状部の中を二番車の筒状部が貫通し、二番車の筒状部の中を四番車の軸部が貫通するように配置されるので、秒針、分針、時針のデザインの自由度は大きく制限されていた。
換言すれば、従来のアナログ電子時計では、太い指針、長い指針、特殊な形状を持つ指針のような大きい慣性モーメントを持つ指針を四番車に取り付けるときには、その指針の慣性モーメントの値に制約があり、大きい慣性モーメントを持つ指針を四番車に取り付けることはできないという課題があった。
また、従来のアナログ電子時計では、回転駆動トルクが大きい筒車の筒状部に慣性モーメントが大きい（すなわち、重量が大きく、立体的な形状などを有する）時針を取り付けるときには、時針のベースとなる時針台座を筒車の筒状部に取り付け、この時針台座に慣性モーメントが大きい時針を取り付けていた。この構成では、時針を取り付けるときの作業性が悪く、また、時針を取り外すときの作業性も悪いという課題があった。
【０００７】
【発明の目的】
本発明の目的は、表示部材を表示部材取付部に取り付けるときの作業性が良く、また、表示部材を表示部材取付部から取り外すときの作業性も良いアナログ電子時計を提供することにある。
本発明の他の目的は、デザインの自由度が大きい表示部を備えたアナログ電子時計を提供することにある。
【０００８】
【課題を解決するための手段】
上記課題を解決するために、本発明の電子時計は、アナログ電子時計において、モータを構成するロータと、ロータの回転に基づいて減速されて回転する輪列と、筒状部を有する第１表示車と、筒状部を有する第２表示車と、筒状部又は軸部を有する第３表示車を備え、第１表示車は前記輪列の回転に基づいて回転し、第３表示車は前記輪列の回転に基づいて回転し、第２表示車は第３表示車と連動して回転するように構成されることを特徴とする。
更に、本発明の電子時計では、第１表示車と、第２表示車と、第３表示車とは、それぞれの回転中心を同一にして同軸的に回転するように構成されており、第１表示車の筒状部の内側に第２表示車の筒状部が配置され、第２表示車の筒状部の内側に第３表示車の筒状部又は軸部が配置されるように構成されることを特徴とする。
【０００９】
本発明のアナログ電子時計では、第１表示車は、１時間に１回転するように構成され、第２表示車は、２４時間に１回転するように構成され、第３表示車は、２４時間に１回転するように構成されるのが好ましい。
また、本発明のアナログ電子時計では、第２表示車は、反時計回り方向に、２４時間に１回転するように構成され、第３表示車は、反時計回り方向に、２４時間に１回転するように構成され、北半球の地球儀を表示した表示部材が第３表示車に取り付けられるのが好ましい。
或いは、本発明のアナログ電子時計では、第２表示車は、時計回り方向に、２４時間に１回転するように構成され、第３表示車は、時計回り方向に、２４時間に１回転するように構成され、南半球の地球儀を表示した表示部材が第３表示車に取り付けられるように構成してもよい。
【００１０】
また、本発明のアナログ電子時計では、前記輪列は日の裏車を含み、第１表示車は、日の裏車の回転に基づいて、増速されて回転するように構成され、第２表示車および第３表示車は、日の裏車の回転に基づいて、減速されて回転するように構成されるのが好ましい。さらに、本発明に関連するアナログ電子時計は、モータを構成するロータと、ロータの回転に基づいて減速されて回転する輪列と、輪列の回転に基づいて２４時間に１回転するように構成された立体的な表示部材と、立体的な表示部材と連動して２４時間に１回転するように構成された２４時表示部材を備え、立体的な表示部材と、２４時表示部材とは、それぞれの回転中心を同一にして同軸的に回転するように構成される。このように構成したアナログ電子時計は、前記２４時表示部材の前記立体的な表示部材に対する回転の位相を変えるための時修正機構を更に備えるのが好ましい。このような構成により、表示部のデザイン自由度が高く、見やすい表示部を有するアナログ電子時計を実現することができる。また、このように構成したアナログ電子時計では、表示部材を表示部材取付部に取り付けるときの作業性が良く、また、表示部材を表示部材取付部から取り外すときの作業性も良い。
【００１１】
【発明の実施の形態】
以下に、本発明のアナログ電子時計の実施の形態を図面に基づいて説明する。（１）本発明のアナログ電子時計の第１の実施形態
今、本発明のアナログ電子時計の第１の実施形態について説明する。
図１から図５を参照すると、本発明のアナログ電子時計のムーブメント（機械体）１００は、地板１０２と、輪列受１０４と、第１裏物押え１０６と、第２裏物押え１０８と、分車押え１１０とを有する。輪列受１０４は地板１０２の表側に配置される。
第１裏物押え１０６と、第２裏物押え１０８と、分車押え１１０とは、地板１０２の裏側に配置される。文字板１１２はムーブメント１００の裏側において、地板１０２の裏側の方の側に設けられる。地板１０２の裏側において、地板１０２に近い方から文字板１１２を取りつけるべき位置に向かって、第１裏物押え１０６、第２裏物押え１０８、分車押え１１０の順に配置される。巻真１１４が地板１０２に組み込まれる。巻真１１４は、例えば、時計の３時方向に組み込まれる。
【００１２】
集積回路１２０が、電池１２２を電源として動作する。水晶振動子１２４は源振を構成する。水晶振動子１２４は、例えば、３２，７６８ヘルツで振動して、基準信号を集積回路１２０に出力する。集積回路１２０は分周回路を含み、この分周回路は所定の分周動作を行い、例えば、１ヘルツの信号を出力する。集積回路１２０は更に駆動回路を含み、この駆動回路は分周回路が出力する出力信号を入力して、ステップモータを駆動する所定の駆動信号を出力する。集積回路１２０と水晶振動子１２４は、回路ブロック１２８を構成する。
【００１３】
コイルブロック１３０が、駆動回路が出力するステップモータを駆動するための駆動信号を入力して、ステータ１３２の複数の極を磁化させる。ロータ１３４がロータかな１３４ｋと、ロータ磁石１３４ｍとを備える。ロータ１３４はステータ１３２の磁力の作用により回転する。ロータ１３４の上軸部（上ほぞ）は輪列受１０４に対して回転可能に支持される。ロータ１３４の下軸部（下ほぞ）は地板１０２に対して回転可能に支持される。したがって、ロータ１３４は輪列受１０４と地板１０２との間で回転することができる。例えば、ロータ１３４は、前述の１ヘルツ信号に基づいて、１秒ごとに１８０度ずつ回転する。
【００１４】
図１から図４、図１７を参照すると、五番車１４０が、五番歯車１４０ｇと、五番かな１４０ｋとを備える。五番車１４０の上軸部（上ほぞ）は輪列受１０４に対して回転可能に支持される。五番車１４０の下軸部（下ほぞ）は地板１０２に対して回転可能に支持される。したがって、五番車１４０は輪列受１０４と地板１０２との間で回転することができる。五番歯車１４０ｇはロータかな１３４ｋに噛み合うように配置される。したがって、五番車１４０はロータ１３４の回転に基づいて、減速されて回転することができる。
【００１５】
四番車１４２が、四番歯車１４２ｇと、四番かな１４２ｋ、軸部に設けられたそろばん玉１４２ｃとを備える。  四番歯車１４２ｇは五番かな１４０ｋに噛み合うように配置される。したがって、四番車１４２は五番車１４０の回転に基づいて、減速されて回転することができる。そして、ロータ１３４から四番車１４２までの減速比は、１／３０になるように構成される。したがって、四番車１４２は、１秒ごとに６度ずつ回転し、１分間で１回転するように構成される。
【００１６】
三番車１４６が、三番歯車１４６ｇと、三番かな１４６ｋとを備える。三番車１４６の上軸部（上ほぞ）は輪列受１０４に対して回転可能に支持される。三番車１４６の下軸部（下ほぞ）は地板１０２に対して回転可能に支持される。したがって、三番車１４６は輪列受１０４と地板１０２との間で回転することができる。三番歯車１４６ｇは四番かな１４２ｋに噛み合うように配置される。したがって、三番車１４６は四番車１４２の回転に基づいて、減速されて回転することができる。
【００１７】
二番車１５０が、二番車筒状部と、二番歯車１５０ｇと、二番かな１５０ｋとを備える。二番歯車１５０ｇは、二番かな１５０ｋに対して所定のスリップトルクでスリップ可能なように二番かな１５０ｋに取り付けられる。例えば、二番歯車１５０ｇに複数のばね状部分を形成し、このばね状部分を二番かな１５０ｋの取り付け用軸部分に嵌め合わせるようにして、二番歯車１５０ｇを二番かな１５０ｋに取り付けるのがよい。
二番車用中心パイプ１５２が地板１０２に設けられる。二番車用中心パイプ１５２の案内筒状部は地板１０２の裏面のある面の付近から文字板１１２の方にむかって、地板１０２の裏面に対して直角に延びる。二番車用中心パイプ１５２の案内筒状部の外周面の少なくとも一部分には、案内帯部が設けられる。
四番車１４２のそろばん玉１４２ｃは、二番車筒状部の内周面に対して回転可能に支持される。したがって、四番歯車１４２ｇと四番かな１４２ｋは輪列受１０４と二番車１５０との間で回転することができる。二番車１５０は、四番車１４２と二番車用中心パイプ１５２との間で回転することができる。
【００１８】
二番歯車１５０ｇは三番かな１４６ｋに噛み合うように配置される。したがって、二番車１５０は三番車１４６の回転に基づいて、減速されて回転することができる。そして、四番車１４２から二番車１５０までの減速比は、１／６０になるように構成される。したがって、二番車１５０は、１時間で１回転するように構成される。
【００１９】
図２および図４、図５、図１７を参照すると、日の裏車１５４が、日の裏歯車１５４ｇと、日の裏かな１５４ｋとを備える。日の裏車１５４の上軸部（上ほぞ）は輪列受１０４に対して回転可能に支持される。日の裏車１５４の下軸部（下胴部）は第１裏物押え１０６に対して回転可能に支持される。したがって、日の裏歯車１５４ｇは輪列受１０４と第１裏物押え１０６との間で回転することができる。日の裏歯車１５４ｇは二番かな１５０ｋに噛み合うように配置される。したがって、日の裏車１５４は二番車１５０の回転に基づいて、減速されて回転することができる。
二番車１５０と、四番車１４２は、同軸的に回転する。すなわち、二番車１５０の回転中心と、四番車１４２の回転中心は、同一である。
【００２０】
図１から図４、図５、図１７を参照すると、第１分中間車２１０が、第１分中間歯車２１０ｇを備える。第１分中間車２１０の一方の軸部は第１裏物押え１０６に対して回転可能に支持される。第１分中間車２１０の他方の軸部は第２裏物押え１０８に対して回転可能に支持される。したがって、第１分中間車２１０は第１裏物押え１０６と第２裏物押え１０８との間で回転することができる。第１分中間歯車２１０ｇは日の裏かな１５４ｋに噛み合うように配置される。したがって、第１分中間車２１０は日の裏車１５４の回転に基づいて回転するアイドラ（遊び車）を構成する。
【００２１】
第２分中間車２１２が、第２分中間歯車２１２ｇと、第２分中間かな２１２ｋとを備える。第２分中間車２１２の一方の軸部は第１裏物押え１０６に対して回転可能に支持される。第２分中間車２１２の他方の軸部は分車押え１１０に対して回転可能に支持される。したがって、第２分中間車２１２は第１裏物押え１０６と分車押え１１０との間で回転することができる。第２分中間かな２１２ｋは第１分中間歯車２１０ｇに噛み合うように配置される。したがって、第２分中間車２１２は、日の裏車１５４の回転に基づいて、第１分中間車２１０の回転を介して、増速されて回転することができる。
【００２２】
分車用中心パイプ２２０が第２裏物押え１０８に設けられる。分車用中心パイプ２２０の案内筒状部は第２裏物押え１０８の文字板１１２側の面から文字板１１２を貫通するように（或いは、文字板１１２の方にむかって）、第２裏物押え１０８の裏面に対して直角に延びる。分車用中心パイプ２２０の案内筒状部の外周面の少なくとも一部分には、案内帯部が設けられる。
【００２３】
分車２２２が、分車筒状部２２２ｃと、分歯車２２２ｇとを備える。分車筒状部２２２ｃの内周面の少なくとも一部分は、分車用中心パイプ２２０の案内筒状部の外周面の案内帯部に対して回転可能に支持される。したがって、分歯車２２２ｇは第２裏物押え１０８と分車押え１１０との間で回転することができる。
針座２２４が、分歯車２２２ｇと分車押え１１０との間に配置される。
分歯車２２２ｇは第２分中間歯車２１２ｇに噛み合うように配置される。したがって、分車２２２は第２分中間車２１２の回転に基づいて、減速されて回転することができる。そして、四番車１４２から分車２２２までの減速比は、１／６０になるように構成される。したがって、分車２２２は、１時間で１回転するように構成される。
【００２４】
２４時輪列用中心パイプ２３０が第１裏物押え１０６に設けられる。２４時輪列用中心パイプ２３０の案内筒状部は第１裏物押え１０６の文字板１１２側の面から文字板１１２を貫通するように（或いは、文字板１１２の方にむかって）、第１裏物押え１０６の裏面に対して直角に延びる。２４時輪列用中心パイプ２３０の案内筒状部の外周面の少なくとも一部分には、案内帯部が設けられる。
一番中間車２３２が、一番中間歯車２３２ｇを備える。一番中間車２３２の中心穴は、２４時輪列用中心パイプ２３０の基部の外周面に対して回転可能に支持される。止め輪２３４が、一番中間車２３２を２４時輪列用中心パイプ２３０に対して回転可能に支持するために設けられる。
一番中間歯車２３２ｇは日の裏かな１５４ｋに噛み合うように配置される。したがって、一番中間車２３２は日の裏車１５４の回転に基づいて回転するアイドラ（遊び車）を構成する。
【００２５】
二番中間車２４０が、二番中間歯車２４０ｇと、二番中間かな２４０ｋとを備える。二番中間車２４０の軸部は第１裏物押え１０６に対して回転可能に支持される。したがって、二番中間車２４０は第１裏物押え１０６と第２裏物押え１０８との間で回転することができる。二番中間歯車２４０ｇは一番中間歯車２３２ｇに噛み合うように配置される。したがって、二番中間車２４０は日の裏車１５４の回転に基づいて、一番中間車２３２の回転を介して、減速されて回転することができる。
【００２６】
三番中間車２４２が、三番中間歯車２４２ｇを備える。三番中間車２４２の一方の軸部は第１裏物押え１０６に対して回転可能に支持され、他方の軸部は第２裏物押え１０８に対して回転可能に支持される。したがって、三番中間車２４２は第１裏物押え１０６と第２裏物押え１０８との間で回転することができる。三番中間歯車２４２ｇは二番中間かな２４０ｋに噛み合うように配置される。したがって、三番中間車２４２は二番中間車２４０の回転に基づいて回転するアイドラ（遊び車）を構成する。
【００２７】
第１筒車２５０が、２４時ジャンパを構成する第１筒車ばね部２５０ｂと、第１筒車筒状部２５０ｃと、第１筒歯車２５０ｇとを備える。第２筒車２５２が、第２筒車筒状部２５２ｃと、第２筒歯車２５２ｇと、２４時ジャンパかなを構成する第２筒かな２５２ｋとを備える。
図１から図３に示す実施形態では、第２筒車２５２は、その先端部に（貫通穴がある）筒状部を有しているけれども、変形例として、第２筒車２５２は、その先端部に（貫通穴がない）軸部（図示せず）を有していてもよい。
第２筒かな２５２ｋは、２４枚の歯を有する。第２筒車２５２は、２４時輪列用中心パイプ２３０の案内筒状部の案内帯部の外周面に対して回転可能に支持される。この構成では、第１筒車筒状部２５０ｃの外周面は、分車用中心パイプ２２０の案内筒状部の内周面に対して隙間があるように配置される。
第２筒車筒状部２５２ｃは、第１筒車筒状部２５０ｃの内側に配置される。また、第１筒車筒状部２５０ｃは、分車筒状部２２２ｃの内側に配置される。
第１筒車ばね部２５０ｂの先端に設けられた規制部が第２筒かな２５２ｋに噛み合う。したがって、第１筒車２５０は第２筒車２５２と連動して回転するように構成される。
【００２８】
第２筒歯車２５２ｇは三番中間歯車２４２ｇに噛み合うように配置される。したがって、第２筒車２５２は日の裏車１５４の回転に基づいて、一番中間車２３２、二番中間車２４０、三番中間車２４２の回転を介して、減速されて回転することができる。そして、分車２２２から第２筒車２５２までの減速比は、１／２４になるように構成される。したがって、第２筒車２５２は、２４時間で１回転するように構成される。
第１筒車２５０は、第２筒車２５２と連動して回転するので、第１筒車２５０も２４時間で１回転するように構成される。
【００２９】
分車２２２と、第１筒車２５０と、第２筒車２５２は、同軸的に回転する。すなわち、分車２２２の回転中心と、第１筒車２５０の回転中心と、第２筒車２５２の回転中心は、同一である。
また、二番車１５０と、四番車１４２と、分車２２２と、第１筒車２５０と、第２筒車２５２は、同軸的に回転する。すなわち、二番車１５０の回転中心と、四番車１４２の回転中心と、分車２２２の回転中心と、第１筒車２５０の回転中心と、第２筒車２５２の回転中心は、同一である。
この構成では、第１筒車２５０および第２筒車２５２は反時計回り（左回り）に回転する。
【００３０】
分針（図示せず）が分車２２２に取付けられる。２４時針（図示せず）が第１筒車２５０に取付けられ、２４時表示部材（図示せず）が第２筒車２５２に取付けられる。この構成では、分針により「分」を表示し、２４時針および２４時表示部材により、２４時制における「時」を表示することができる。
【００３１】
図４を参照すると、本発明のアナログ電子時計のムーブメント１００は、更に、切換装置を構成するおしどり１７０と、かんぬき１７２とを備える。巻真１１４の回転により回転することができるつづみ車１７４が巻真１１４に嵌め合うようにムーブメント１００に組込まれる。小鉄車１７６が日の裏歯車１５４ｇと噛み合うようにムーブメント１００に組込まれる。
本発明のアナログ電子時計のムーブメント１００においては、巻真１１４が０段目にある状態で、巻真１１４を回しても何の作用も行わないように構成される。
本発明のアナログ電子時計のムーブメント１００においては、巻真１１４を２段目に引き出すと、おしどり１７０とかんぬき１７２が作動して、つづみ車１７４が小鉄車１７６と噛み合うように構成される。
更に、電池押え１８０と、電池マイナス端子１８２と、絶縁板１８４とが、ムーブメント１００に組込まれる。電池押え１８０は、電池１２２を保持し、電池１２２の陽極を集積回路１２０に導通させるために設けられる。電池マイナス端子１８２は、電池１２２の陰極を集積回路１２０に導通させるために設けられる。絶縁板１８４は、電池１２２を他の導電性がある部品から絶縁するために設けられる。
ムーブメント１００は、規制機構およびリセット機構（図示せず）を備えることができる。巻真１１４を２段目に引き出すと、おしどり１７０と規制レバー１７８が作動して、規制レバー１７８が四番歯車１４２ｇを規制することができるように構成される。
【００３２】
更に、ムーブメント１００は、時修正機構を備える。
図３、図４、図１７を参照すると、時修正機構を構成する第一時修正伝え車２６０と、第二時修正伝え車２６２が地板１０２に対して回転可能に設けられる。本発明のアナログ電子時計のムーブメント１００においては、巻真１１４を１段目に引き出すと、おしどり１７０とかんぬき１７２が作動して、つづみ車１７４が第一時修正伝え車２６０と噛み合うように構成される。
したがって、本発明のアナログ電子時計のムーブメント１００においては、巻真１１４が１段目にある状態で、巻真１１４を１つの方向に回転させると、つづみ車１７４の回転を介して、第一時修正伝え車２６０が回転し、第一時修正伝え車２６０が回転することにより、第二時修正伝え車２６２が回転するように構成される。第二時修正伝え車２６２が回転することにより、第１筒歯車２５０ｇが回転し、第１筒車ばね部２５０ｂの先端に設けられた規制部が第２筒かな２５２ｋの歯を乗り越えるので、時修正を行うことができる。すなわち、第２筒車２５２は、三番中間車２４２と噛み合っていて、その回転が規制されているので、第１筒歯車２５０ｇは、第２筒かな２５２ｋに対して、第２筒かな２５２ｋの歯の１ピッチ分ずつ回転することができる。
このような時修正機構を備えた構成により、第１筒車２５０と、第２筒車２５２の回転の位相を（３６０／２４）度ずつ、変えることができる。
【００３３】
次に、本発明のアナログ電子時計の第１の実施形態の作動について説明する。図１から図４、図１７を参照すると、ロータ１３４の回転により五番車１４０の回転を介して四番車１４２が減速されて回転し、四番車１４２の回転により三番車１４６の回転を介して二番車１５０が減速されて回転し、二番車１５０の回転により日の裏車１５４が減速されて回転する。
日の裏車１５４の回転により、第１分中間車２１０、第２分中間車２１２の回転を介して、分車２２２は時計回り方向に、１時間で１回転する。
また、日の裏車１５４の回転により、一番中間車２３２、二番中間車２４０、三番中間車２４２の回転を介して、第１筒車２５０と第２筒車２５２は連動して、反時計回り方向に、２４時間で１回転する。
【００３４】
次に、本発明のアナログ電子時計の第１の実施形態に用いられる表示部材について説明する。
図６および図７を参照すると、時計ケースは胴５７０と、ガラス５７２とを含む。ケースの外周部には、１周が２４時間となるようにした表示方法において時を示すために、「２」、「４」…「２２」、「２４」の文字が、円周状に反時計回り方向に並んで配列されている。
ガラス５７２は、半球状の形状、または、１／４の球状の形状、または、１／３の球状の形状などの球の一部分に対応するような形状を有する。
ガラス５７２の断面形状は、円錐であってもよいし、回転楕円体であってもよいし、多面体であってもよいし、他の曲線（双曲線、放物線、指数曲線など）を回転させてできる種々の回転体などの一部分に対応するような形状であってもよい。図７に示す例では、ガラス５７２の断面形状は、ほぼ１／４の球状の形状で構成されている。
【００３５】
分表示部材を構成する分針５６０が、ムーブメント１００に含まれる分車２２２に取付けられる。１周が２４時間となるようにした表示方法において「時」を表示する２４時表示部材を構成する２４時針５６２が、ムーブメント１００に含まれる第１筒車２５０に取付けられる。２４時針５６２の位置と関連して、１周が２４時間となるようにした表示方法において「時」を表示するための立体的な表示部材を構成する２４時立体表示部材５６４が、ムーブメント１００に含まれる第２筒車２５２に取付けられる。この構成では、分針５６０により「分」を表示し、２４時針５６２により、１周が２４時間となるようにした表示方法において「時」を表示することができる。
分針５６０は、針であってもよいし、円盤であってもよい。
【００３６】
２４時立体表示部材５６４は、半球状の形状、または、１／４の球状の形状、または、１／３の球状の形状などの球の一部分に対応するような形状を有する。２４時立体表示部材５６４の外周形状は、ガラス５７２の内周形状とほぼ相似形状に構成されるのがよい。２４時立体表示部材５６４の外周の曲率は、ガラス５７２の内周の曲率とほぼ同じ曲率となるように構成されてもよいし、或いは、ガラス５７２の内周の曲率より小さい曲率となるように構成されてもよいし、或いは、ガラス５７２の内周の曲率より大きい曲率となるように構成されてもよい。図７に示す例では、２４時立体表示部材５６４の外周は、ほぼ１／４の球状の形状で構成されている。
２４時立体表示部材５６４の外周形状は、円錐であってもよいし、回転楕円体であってもよいし、多面体であってもよいし、他の曲線（双曲線、放物線、指数曲線など）を回転させてできる種々の回転体などの一部分に対応するような形状であってもよい。このような場合も、２４時立体表示部材５６４の外周形状は、ガラス５７２の内周形状とほぼ相似形状に構成されるのがよい。
【００３７】
２４時立体表示部材５６４は、透明なものであってもよいし、半透明なものであってもよいし、不透明なものであってもよい。
２４時針５６２は、その先端部に、ガラス５７２の方に向かって延びる先端部分５６２ｔを有してもよい。この構成により、２４時立体表示部材５６４と先端部分５６２ｔとの相互の位置関係によって、時刻情報を表示することができる。
図６に示す２４時立体表示部材５６４は、北半球の地球儀を北極を中心として表示した不透明の構成である。この構成では、２４時立体表示部材５６４も、２４時針５６２も、反時計回りに、２４時間で１回転する。
このように構成した理由は、地球が、北極上空から見たときに、反時計回りに、２４時間で１回転していることによる。したがって、本発明のアナログ電子時計の第１の実施形態においても、２４時立体表示部材５６４と２４時針５６２の回転方向を、北極上空から見たときの地球の回転方向と同一になるように構成している。
２４時針５６２を第１筒車２５０に取り付けるときには、２４時針５６２の先端がケースの「２４時方向」に向かうようにして取り付ける。
また、２４時立体表示部材５６４を第２筒車２５２に取り付けるときには、北半球の地球儀における時刻を表示すべき国（例えば、自分がいる国、すなわち日本）の位置がケースの「２４時方向」に向かうようにして取り付ける。
使用に際しては、巻真１１４を２段目に引き出して、巻真１１４を回転させて２４時針５６２を現在時刻の「時」に合わせ、分針５６０を現在時刻の「分」に合わせ、次に、巻真１１４を押して１段目にして、巻真１１４を回転させて、現在自分がいる国（例えば、日本）に対応するように、２４時立体表示部材５６４に示されている地図の経線を分針５６０に合わせる。
この構成により、２４時針５６２により現在時刻の「時」を表示し、分針５６０により現在時刻の「分」を表示し、２４時立体表示部材５６４により、北半球の各国の現在時刻の「時」を知ることができ、同時に、２４時針５６２により、北半球の地球儀において、現在自分がいる国（例えば、日本）の位置を知ることができる。
したがって、本発明のアナログ電子時計は、２４時制の時計として使用することができるだけでなく、世界時計として使用することができる。
更に、本発明のアナログ電子時計を、例えば、アメリカ合衆国に持っていったときには、時修正機構を用いて２４時針５６２により、アメリカ合衆国における現在時刻の「時」を表示するように操作する。その結果、２４時針５６２によりアメリカ合衆国における現在時刻の「時」を表示し、分針５６０によりアメリカ合衆国における現在時刻の「分」を表示し、２４時立体表示部材５６４により、北半球の各国の現在時刻の「時」を知ることができ、同時に、２４時針５６２により、北半球の地球儀において、現在自分がいる国の位置を知ることができる。
【００３８】
（２）本発明のアナログ電子時計の第２の実施形態
次に、本発明のアナログ電子時計の第２の実施の形態を説明する。
以下の説明は、本発明のアナログ電子時計の第２の実施形態が本発明のアナログ電子時計の第１の実施形態と異なる点を主に述べる。したがって、以下に記載がない個所は、前述した本発明のアナログ電子時計の第１の実施形態についての説明をここに準用する。
【００３９】
図８および図９を参照すると、ムーブメント６００において、四番中間車６４２が、四番中間歯車６４２ｇを備える。四番中間車６４２の一方の軸部は第１裏物押え１０６に対して回転可能に支持され、他方の軸部は第２裏物押え１０８に対して回転可能に支持される。したがって、四番中間車６４２は第１裏物押え１０６と第２裏物押え１０８との間で回転することができる。四番中間歯車６４２ｇは三番中間歯車２４２ｇに噛み合うように配置される。したがって、四番中間車６４２は三番中間車２４２の回転に基づいて回転するアイドラ（遊び車）を構成する。
第２筒歯車２５２ｇは四番中間歯車６４２ｇに噛み合うように配置される。したがって、第２筒車２５２は日の裏車１５４の回転に基づいて、一番中間車２３２、二番中間車２４０、三番中間車２４２、四番中間車６４２の回転を介して、減速されて回転することができる。そして、分車２２２から第２筒車２５２までの減速比は、１／２４になるように構成される。したがって、第１筒車２５０と第２筒車２５２は連動して、時計回り方向（右回り方向）に、２４時間で１回転するように構成される。
【００４０】
図１０を参照すると、ケースの外周部には、１周が２４時間となるようにした表示方法において時を示すために、「２」、「４」…「２２」、「２４」の文字が、円周状に時計回り方向に並んで配列されている。
図１０に示す２４時立体表示部材６６４は、南半球の地球儀を表示した不透明の構成である。この構成では、２４時立体表示部材６６４も、２４時針５６２も、時計回りに、２４時間で１回転する。
このように構成した理由は、地球が、南極上空から見たときに、時計回りに、２４時間で１回転していることによる。したがって、本発明のアナログ電子時計の第２の実施形態においては、２４時立体表示部材５６４と２４時針５６２の回転方向を、南極上空から見たときの地球の回転方向と同一になるように構成している。
使用に際しては、巻真１１４を２段目に引き出して、巻真１１４を回転させて２４時針５６２を現在時刻の「時」に合わせ、分針５６０を現在時刻の「分」に合わせ、次に、巻真１１４を押して１段目にして、巻真１１４を回転させて、現在自分がいる国（例えば、オーストラリア）に対応するように、２４時立体表示部材６６４に示されている地図の経線を分針５６０に合わせる。
この構成により、２４時針５６２により現在時刻の「時」を表示し、分針５６０により現在時刻の「分」を表示し、２４時立体表示部材６６４により、南半球の各国の現在時刻の「時」を知ることができ、同時に、２４時針５６２により、南半球の地球儀において、現在自分がいる国（例えば、オーストラリア）の位置を知ることができる。
【００４１】
（３）本発明のアナログ電子時計の第３の実施形態
次に、本発明のアナログ電子時計の第３の実施の形態を説明する。
以下の説明は、本発明のアナログ電子時計の第３の実施形態が本発明のアナログ電子時計の第１の実施形態と異なる点を主に述べる。したがって、以下に記載がない個所は、前述した本発明のアナログ電子時計の第１の実施形態についての説明をここに準用する。
図１１を参照すると、２４時立体表示部材７０４は、半透明の北半球の地球儀を表示した表示部を備える。２４時立体表示部材７０４の表示部を通して、分針５６０の全長さと、２４時針７０６の全長さを見ることができる。。
【００４２】
（４）本発明のアナログ電子時計の第４の実施形態
次に、本発明のアナログ電子時計の第４の実施の形態を説明する。
以下の説明は、本発明のアナログ電子時計の第４の実施形態が本発明のアナログ電子時計の第１の実施形態と異なる点を主に述べる。したがって、以下に記載がない個所は、前述した本発明のアナログ電子時計の第１の実施形態についての説明をここに準用する。
図１２を参照すると、２４時立体表示部材７１４は、球の１／４に対応する形状をもつ表示部を備える。
【００４３】
（５）本発明のアナログ電子時計の第５の実施形態
次に、本発明のアナログ電子時計の第５の実施の形態を説明する。
以下の説明は、本発明のアナログ電子時計の第５の実施形態が本発明のアナログ電子時計の第１の実施形態と異なる点を主に述べる。したがって、以下に記載がない個所は、前述した本発明のアナログ電子時計の第１の実施形態についての説明をここに準用する。
図１３を参照すると、２４時立体表示部材７２４は、球の３／４に対応する形状をもつ表示部を備える。
【００４４】
（６）本発明のアナログ電子時計の第６の実施形態
次に、本発明のアナログ電子時計の第６の実施の形態を説明する。
以下の説明は、本発明のアナログ電子時計の第６の実施形態が本発明のアナログ電子時計の第１の実施形態と異なる点を主に述べる。したがって、以下に記載がない個所は、前述した本発明のアナログ電子時計の第１の実施形態についての説明をここに準用する。
図１４を参照すると、２４時立体表示部材７３４は、円錐形状をもつ表示部を備える。
【００４５】
（７）本発明のアナログ電子時計の第７の実施形態
次に、本発明のアナログ電子時計の第７の実施の形態を説明する。
以下の説明は、本発明のアナログ電子時計の第７の実施形態が本発明のアナログ電子時計の第１の実施形態と異なる点を主に述べる。したがって、以下に記載がない個所は、前述した本発明のアナログ電子時計の第１の実施形態についての説明をここに準用する。
図１５を参照すると、２４時立体表示部材７４４は、サッカーボールを表示した立体的な表示部を備える。
【００４６】
（８）本発明のアナログ電子時計の第８の実施形態
次に、本発明のアナログ電子時計の第８の実施の形態を説明する。
以下の説明は、本発明のアナログ電子時計の第８の実施形態が本発明のアナログ電子時計の第１の実施形態と異なる点を主に述べる。したがって、以下に記載がない個所は、前述した本発明のアナログ電子時計の第１の実施形態についての説明をここに準用する。
図１５を参照すると、２４時立体表示部材７５４は、ラグビーボールを表示した立体的な表示部を備える。
【００４７】
【発明の効果】
本発明のアナログ電子時計では、表示部材を表示部材取付部に取り付けるときの作業性が良く、また、表示部材を表示部材取付部から取り外すときの作業性も良い。
また、本発明のアナログ電子時計は、新規で見やすい表示部を有している。
更に、本発明のアナログ電子時計は、２４時制の時計として使用することができるだけでなく、世界時計として使用することができる。
【図面の簡単な説明】
【図１】本発明のアナログ電子時計の第１の実施形態において、ムーブメントのロータから表示部材の部分を示す概略部分断面図である。
【図２】本発明のアナログ電子時計の第１の実施形態において、ムーブメントの日の裏車及び表示部材の部分を示す概略部分断面図である。
【図３】本発明のアナログ電子時計の第１の実施形態において、巻真を０段目にした状態のムーブメントの巻真、時修正機構及び表示部材の部分を示す概略部分断面図である。
【図４】本発明のアナログ電子時計の第１の実施形態において、ムーブメントを表側から見た概略形状を示す平面図である（図４では、一部の部品を省略している）。
【図５】本発明のアナログ電子時計の第１の実施形態において、ムーブメントの時修正機構の概略形状を示す平面図である（図５では、一部の部品を省略している）。
【図６】本発明のアナログ電子時計の第１の実施形態において、北半球の地球儀を表示した表示部材を備えたコンプリートの外観を示す概略平面図である。
【図７】本発明のアナログ電子時計の第１の実施形態において、北半球の地球儀を表示した表示部材を備えたコンプリートの文字板からガラスの部分を示す概略断面図である。
【図８】本発明のアナログ電子時計の第２の実施形態において、ムーブメントの日の裏車及び表示部材の部分を示す概略部分断面図である。
【図９】本発明のアナログ電子時計の第２の実施形態において、ムーブメントの時修正機構の概略形状を示す平面図である（図９では、一部の部品を省略している）。
【図１０】本発明のアナログ電子時計の第２の実施形態において、南半球の地球儀を表示した表示部材を備えたコンプリートの外観を示す概略平面図である。
【図１１】本発明のアナログ電子時計の第３の実施形態において、半透明の北半球の地球儀を表示した表示部材を備えたコンプリートの外観を示す概略平面図である。
【図１２】本発明のアナログ電子時計の第４の実施形態において、球の１／４に対応する形状をもつ表示部材を備えたコンプリートの文字板からガラスの部分を示す概略断面図である。
【図１３】本発明のアナログ電子時計の第５の実施形態において、球の３／４に対応する形状をもつ表示部材を備えたコンプリートの文字板からガラスの部分を示す概略断面図である。
【図１４】本発明のアナログ電子時計の第５の実施形態において、円錐形状をもつ表示部材を備えたコンプリートの文字板からガラスの部分を示す概略断面図である。
【図１５】本発明のアナログ電子時計の第６の実施形態において、サッカーボールを表示した立体的な表示部材を備えたコンプリートの外観を示す概略平面図である。
【図１６】本発明のアナログ電子時計の第７の実施形態において、ラグビーボールを表示した立体的な表示部材を備えたコンプリートの外観を示す概略平面図である。
【図１７】本発明のアナログ電子時計の実施形態において、ロータ、輪列、時修正機構の作動を示す概略ブロック図である。
【符号の説明】
１００  ムーブメント（機械体）
１０２  地板
１０４  輪列受
１０６  第１裏物押え
１０８  第２裏物押え
１１２  文字板
１１４  巻真
１２０  集積回路
１２２  電池
１２４  水晶振動子
１３０  コイルブロック
１３２  ステータ
１３４  ロータ
１３２  ステータ
１４０  五番車
１４２  四番車
１４６  三番車
１５０  二番車
１５４  日の裏車
２１０  第１分中間車
２１２  第２分中間車
２２２  分車
２３２  一番中間車
２４０  二番中間車
２４２  三番中間車
２５０  第１筒車
２５２  第２筒車
５６０  分針
５６２  ２４時針
５６４  ２４時立体表示部材
【図１】
0003724706.tif 000002
【図２】
0003724706.tif 000003
【図３】
0003724706.tif 000004
【図４】
0003724706.tif 000005
【図５】
0003724706.tif 000006
【図６】
0003724706.tif 000007
【図７】
0003724706.tif 000008
【図８】
0003724706.tif 000009
【図９】
0003724706.tif 000010
【図１０】
0003724706.tif 000011
【図１１】
0003724706.tif 000012
【図１２】
0003724706.tif 000013
【図１３】
0003724706.tif 000014
【図１４】
0003724706.tif 000015
【図１５】
0003724706.tif 000016
【図１６】
0003724706.tif 000017
【図１７】
0003724706.tif 000018